(57)【要約】【課題】  本発明は、フイルムロールや巻糸体の輸送に際し、内容物に損傷を与えず、塵の混入を防止することができる上に、再使用可能な梱包箱を提供せんとするものである。【解決手段】  本発明の梱包箱は、樹脂板からなる梱包箱であって、上面板および／または底面板が３重以上の樹脂板によって覆われた構造を有し、かつ、該樹脂板には、互いに面ファスナーによって固定することができる固定部を有することを特徴とするものである。【選択図】図１
2005132414.tif 000002
【特許請求の範囲】
【請求項１】
樹脂板からなる梱包箱であって、上面板および／または底面板が３重以上の樹脂板によって覆われた構造を有し、かつ、該樹脂板には、互いに面ファスナーによって固定することができる固定部を有することを特徴とする梱包箱。
【請求項２】
該固定部が、一方が雄型ファスナーで、他方が雌型ファスナーで、それぞれ構成されている請求項１に記載の梱包箱。
【請求項３】
該上面板および／または該底面板が、同一面積の少なくとも２枚以上の樹脂板によって覆われていることを特徴とする請求項１または２に記載の梱包箱。
【請求項４】
該樹脂板を構成する樹脂が、発泡性樹脂であることを特徴とする請求項１〜３のいずれかに記載の梱包箱。
【請求項５】
該発泡性樹脂が、ポリオレフィン系樹脂であることを特徴とする請求項４に記載の梱包箱。
【請求項６】
該梱包箱が、フィルムロールを梱包するのに用いられるものであることを特徴とする請求項１〜５のいずれかに記載の梱包箱。
【請求項７】
該フィルムが、耐熱性フィルム、ポリイミドフイルムまたは液晶ポリマーフイルムであることを特徴とする請求項６に記載の梱包箱。
【発明の詳細な説明】
【技術分野】
【０００１】
本発明は、軽量で、梱包される製品に傷がつきにくく、塵の混入を防止でき、再使用可能な梱包箱に関する。
【背景技術】
【０００２】
帯状のフイルムや繊維は連続して製造できる長所があり、連続で加工できる長所も有している。このような連続した帯状のフイルムや繊維は、通常は紙や樹脂などのコアに巻き取りながら製造し、出来上がったフイルムや繊維はコアに巻いたフィルムロールや巻糸体として保存される。
【０００３】
従来、フィルムロールや巻糸体の輸送は、段ボールのカートンを用いて行われている。例えば、フィルムロールの両端において端部プレートにより支持された梱包箱（特許文献１参照）が開示されている。
【０００４】
しかしながら、段ボールのカートンは、輸送の際簡単に押し潰されて、内部に含まれているフィルムに損傷を与える。多数のカートンを積み重ねることは、カートンの強度面から困難である。
【０００５】
また、段ボールのカートンは再利用できず、返却され得ず、リサイクルすることができない。
【特許文献１】米国特許第３７１０５３９号公報
【発明の開示】
【発明が解決しようとする課題】
【０００６】
本発明は、かかる従来技術の背景に鑑み、フイルムロールや巻糸体の輸送に際し、内容物に損傷を与えず、塵の混入を防止することができる上に、再使用可能な梱包箱を提供せんとするものである。
【課題を解決するための手段】
【０００７】
本発明は、かかる課題を解決するために、次のような手段を採用するものである。すなわち、本発明の梱包箱は、樹脂板からなる梱包箱であって、上面板および／または底面板が３重以上の樹脂板によって覆われた構造を有し、かつ、該樹脂板には、互いに面ファスナーによって固定することができる固定部を有することを特徴とするものである。
【発明の効果】
【０００８】
本発明によれば、の梱包箱を用いれば、輸送の際、内部の製品を損傷することを防止でき、さらに再使用が可能であり、さらに軽量であるため作業性も向上させることができる。
【発明を実施するための最良の形態】
【０００９】
以下、図を用いて本発明を説明する。
【００１０】
図１は、本発明の梱包箱をモデル的に示した概略斜視図である。この例に限らず本発明の梱包箱は、上箱と下箱の２つの箱から構成されるのが好ましい。図１においてフレーム１は上箱の概略斜視図であり、フレーム２は下箱の概略斜視図である。
【００１１】
図１は蓋を構成する上箱であって、この上箱は、上面板１と、これに重合される上面板２、さらに前記上面板１、２の下側に組み込まれる上面板３と上面板４で蓋の上面部が構成されている。なお、この上箱は、側面板５、側面板６、側面板７および側面板８とで蓋の側面部が構成されているものである。
【００１２】
図２は、この蓋である上箱の中にスッポリ嵌り込んでしまう寸法で作成された製品収納するための下箱である。この下箱には、図示されているように、フイルムロールや巻糸体が収納されるものであるが、この下箱の底面は、底面板９と、これに重合される底面板１０、さらに前記底面板９、１０の上側に組み込まれる底面板１１、底面板１２とで丈夫な底面部が構成される。この底面部を、側面板１３、側面板１４、側面板１５、側面板１６の４枚の側面板で囲んでフイルムロールや巻糸体の収納部を構成している。図１、２において、黒塗り部は、面ファスナー１７であって、前記上面板、側面板、底面板は、いずれもこの面ファスナー１７で互いに固定されている。
【００１３】
なお、側面板１５と１６に、Ｕ字状の切り込みを設けると、ここにフイルムロールや巻糸体などの製品のコアを嵌合させて保持させることができるので、製品に傷がつきにくく安定に運搬することができる。
【００１４】
図１、２から明らかなように、本発明の梱包箱は、上面板１、上面板２、上面板３、上面板４は互いに重なりあって、３重の上面板となり、底面板９、底面板１０、底面板１１、底面板１２は互いに重なりあって３重の底面板となっていることが一つの特徴である。
【００１５】
箱の強度を向上させる観点から、上面板および底面板の少なくともいずれかが、同一面積の２枚以上の樹脂板によって覆われていることが好ましい。
【００１６】
本発明のもう一つの特徴は、前記したように、上箱と下箱の各上面板、側面板、底面板、つまりこれら樹脂板は、互いに面ファスナー１７によって固定される構造を有するところにある。この面ファスナー１７は、該固定部が、一方が雄型ファスナーで、他方が雌型ファスナーでそれぞれ構成されている。かかる面ファスナー１７の取り付け位置は、各樹脂板を合わせた際に一致するように、各角部の近傍に設けるのが好ましい。なお、面ファスナー１７の雄型ファスナーは被せる側に設けるのが固定を確実に行うために好ましい。
【００１７】
かかる樹脂板を構成する材料は、ポリエチレン、ポリプロピレン、塩化ビニル、ポリ塩化ビニリデン、ポリエステル、ポリイミド、ポリアミド、ポリアミドイミド、ポリフェニレンサルファド、各種ゴムなどが好ましく採用される。かかる樹脂板に強度や耐熱性などを持たせる為に、ガラス繊維や無機フィラーなどの添加物を加えることは好ましく行われる。特に、軽量化の観点から、該樹脂板を発泡ポリオレフィン系樹脂で構成するのが好ましい。かかる発泡ポリオレフィン系樹脂として発泡ポリプロピレン樹脂が特に好ましい。
【００１８】
本発明の梱包箱は、前記の上面板および／または底面板が３重以上の樹脂板によって覆われた構造を採用することによって、荷重の多くかかる底面板、上面板を補強することが可能となり、内部の製品の損傷を防止することができるという効果を奏するものであり、また、面ファスナーという特定な固定手段を採用したことにより、着脱が極めて簡単容易であるにもかかわらず、非常に丈夫で、輸送中の振動や揺れに対して剥離することがないという利点を有するものである。
【００１９】
本発明の梱包箱は、フィルムロールを梱包するのに、好都合に用いられるものである。かかるフィルムとしては、耐熱性フィルム、ポリイミドフイルムまたは液晶ポリマーフイルムなどがあるが、これらに限定されない。
【００２０】
かかるフイルムとしては、主として回路基板用途に用いられる耐熱性フイルム、具体的には、しわや歪みに対する要求が厳しいポリイミドフイルムや液晶ポリマーフイルム、ポリフェニレンサルファイドなどがある。
【００２１】
このようなフイルムの具体例としては、東レ・デュポン（株）製ポリイミドフイルム“カプトン”（Ｒ）、鐘淵化学工業（株）製ポリイミドフイルム“アピカル”（Ｒ）、宇部興産（株）製ポリイミドフイルム“ユーピレックス”（Ｒ）、（株）クラレ製液晶ポリマーフイルム“ベクスター”（Ｒ）、ジャパンゴアテックス（株）製液晶ポリマーフイルム“バイアック”（Ｒ）などが挙げられ、とりわけポリイミドフイルム“カプトン”（Ｒ）やポリイミドフイルム“アピカル”（Ｒ）が好ましく採用される。より具体的には、ジアミン成分としてパラフェニレンジアミンやメタフェニレンジアミン、ベンチジン、パラキシリレンジアミン、４，４’−ジアミノジフェニルエーテル、４，４’−ジアミノジフェニルスルホメタン、３，３’−ジメチル−４，４’−ジアミノジフェニルメタン、１，５−ジアミノナフタレン、３，３’−ジメトキシベンチジン、１，４−ビス（３−メチル−５−アミノフェニル）ベンゼンなどを用い、酸二無水物成分としてピロメリット酸二無水物や３，３’，４，４’−ビフェニルテトラカルボン酸無水物、２，３’，３，４’−ビフェニルテトラカルボン酸二無水物、３，３’、４、４’−ベンゾフェノンテトラカルボン酸二無水物、２，３，６，７−ナフタレンジカルボン酸二無水物などから成るポリイミドフイルムの運搬に、本発明の梱包箱は好ましく使用される。
【実施例】
【００２２】
以下実施例により本発明を説明するが、本発明はこれらに限定されない。
【００２３】
［実施例１］
発泡ポリプロピレン系樹脂板を用いて、図１に示されるように、上面板１、上面板２、上面板３、上面板４、側面板５、側面板６、側面板７、側面板８からなる上箱と、図２に示されるように、底面板９、底面板１０、底面板１１、底面板１２、側面板１３、側面板１４、側面板１５、側面板１６からなる下箱を作製した。
【００２４】
これらの箱の上面板３と上面板４の４隅近傍の対応する位置に面ファスナー１７を設け、上面板３と上面４を固定できるようにした。
【００２５】
同様に底面板９、底面板１０の４隅近傍の対応する位置に面ファスナー１７を設け、底面板９と底面板１０を固定できるようにした。
【００２６】
側面板１５または側面板１６には、製品のコアを挟んで固定するＵ字状の切れ込みを設けた。
【００２７】
梱包するフイルムとして１２．５μｍ厚のポリイミドフイルム東レ・デュポン（株）製“カプトン”（Ｒ）ＥＮを用いた。また、コアとしてはエポキシ樹脂とガラス繊維からなるプラスチックコアを用いた。
【００２８】
輸送に際し、フィルム表面への傷や埃付着を防止することができ、再使用可能な梱包箱であった。また、軽量であるため作業性も向上した。
【図面の簡単な説明】
【００２９】
【図１】この図は、本発明の梱包箱の蓋部となる上箱をモデル的に示した概略斜視図である。
【図２】この図は、本発明の梱包箱の製品収納するための下箱をモデル的に示した概略斜視図である。
【符号の説明】
【００３０】
１、２、３、４：上箱の上面板
５、６、７、８：上箱の側面板
９、１０、１１、１２：下箱の底面板
１３、１４、１５、１６：下箱の側面板
１７：面ファスナー
【図１】
2005132414.tif 000003
【図２】
2005132414.tif 000004